(57)【要約】【課題】  左右に並んで配置されたいずれか一方の景品トレイの景品が払い出しを決定する過程に意図的な操作が介在しているかのような疑念を遊技者に与えない景品取得ゲーム装置を提供する。【解決手段】  打上部材の軌道の両側方に景品トレイと目標部材が配列され、軌道上に停止した打上部材の第１、第２のバーがそれぞれ軌道の左右方向に向けて伸長操作を行い、このいずれかのバーが目標部材に当接した場合に、当該目標部材に対応付けられた景品トレイの景品が払い出される景品取得ゲーム機であって、第１、第２のバーのいずれかが目標部材に当接する場合には、他方のバーが目標部材に当接することがないように、第１、第２のバー及び目標部材を配置する。【選択図】  図１
2006223600.tif 000002
【特許請求の範囲】
【請求項１】
所定方向に向けて延長する軌道と、
前記軌道の両側方に配列された景品トレイと、
前記景品トレイのそれぞれに対応する目標部材であって、前記軌道に沿って前記軌道の両側方に配列された目標部材と、
前記軌道上に打ち上げられる打上部材であって、前記軌道の右側方に向けて伸長動作を行う第１のバー及び前記軌道の左側方に向けて伸長動作を行う第２のバーを有する打上部材と、
前記打上部材を打ち上げるための操作手段とを備え、
前記軌道上に停止した前記打上部材の前記第１、第２のバーが伸長動作を行うことで前記目標部材に当接した場合に、当該目標部材に対応する前記景品トレイが傾倒して当該景品トレイ上の景品が払い出される景品取得ゲーム機であって、
前記第１、第２のバーのいずれかが前記目標部材に当接する場合には、他方のバーが前記目標部材に当接することがないように、打上部材における前記第１、第２のバー及び前記目標部材の配置が定められていることを特徴とする景品取得ゲーム機。
【請求項２】
前記第１、第２のバーが、前記軌道に沿う方向に所定長離間して前記打上部材に取り付けられており、前記目標部材が前記軌道に沿って前記所定長とは異なる間隔で等間隔に配列されていることを特徴とする請求項１に記載の景品取得ゲーム機。
【請求項３】
前記目標部材が対応する前記景品トレイの側方に設けられていることを特徴とする請求項１又は２に記載の景品取得ゲーム機。
【請求項４】
それぞれの前記景品トレイに対応して、前記景品トレイを支持する支持位置と、この支持を解除する解除位置との間で移動可能とされた支持板を有する支持装置が設けられており、
前記第１、第２のバーが前記目標部材に当接したときに、当該目標部材に対応する前記景品トレイを支持する支持板が解除位置に移動して当該景品トレイを傾倒させることを特徴とする請求項１〜３のいずれか一項に記載の景品取得ゲーム機。
【請求項５】
前記第１、第２のバーが前記目標部材に当接したときに、当該第１、第２のバーの伸長動作により当該目標部材が後退動作を行い、この後退動作が伝達機構により機械的に伝達されて前記支持板が支持位置から解除位置に移動することを特徴とする請求項４に記載の景品取得ゲーム機。
【請求項６】
前記伝達機構が景品取得ゲーム機の外部から視認できるようにされていることを特徴とする請求項５に記載の景品取得ゲーム機。
【請求項７】
前記支持装置が、上下方向に配列された複数の前記支持板と、それぞれの前記支持板の中間の高さに配列された中間支持板であって、前記支持板が支持位置に移動したときに解除位置に移動し、前記支持板が解除位置に移動したときに支持位置に移動する複数の中間支持板とを備えており、
前記第１、第２のバーが前記目標部材に当接したときに、当該目標部材に対応する前記景品トレイを支持する前記支持板が解除位置に移動することで、当該支持板より下方の前記中間支持板に当該景品トレイが支持され、
前記第１、第２のバーが前記目標部材への当接を解除したときに、当該中間支持板が解除位置に移動することで、当該中間支持板よりも下方の前記支持板に当該景品トレイが支持されるようにされていることを特徴とする請求項４〜６のいずれか一項に記載の景品取得ゲーム機。
【請求項８】
それぞれの前記景品トレイに対応して第１の目標部材及び第２の目標部材を含む複数種類の前記目標部材が設けられているとともに、
前記支持装置が、全ての前記支持板及び全ての前記中間支持板による前記景品トレイの支持を解除することが可能とされており、
前記第１、第２のバーが前記第１の目標部材に当接したときには、当該第１の目標部材に対応する前記景品トレイを支持する前記支持板が解除位置に移動することで、当該支持板より下方の前記中間支持板に当該景品トレイが支持され、前記第１、第２のバーが前記第１の目標部材への当接を解除したときに、当該中間支持板が解除位置に移動することで、当該中間支持板よりも下方の前記支持板に当該景品トレイが支持されるようにされており、
前記第１、第２のバーが前記第２の目標部材に当接したときには、前記支持装置が全ての前記支持板及び全ての前記中間支持板による支持を解除することを特徴とする請求項４〜７のいずれか一項に記載の景品取得ゲーム機。
【請求項９】
前記第２の目標部材が、前記第１の目標部材よりもストロークの長い後退動作を行うことを特徴とする請求項８に記載の景品取得ゲーム機。
【発明の詳細な説明】
【技術分野】
【０００１】
本発明は、遊技者が所定の操作を行うことで景品トレイを傾倒させたときに景品トレイに載置された景品が払い出される景品取得ゲーム機に関する。
【背景技術】
【０００２】
従来より、景品が並べられた景品室と、景品室の天井部を遊技者の操作に従って前後左右に移動するクレーンと、遊技者が停止させた位置でクレーンを下降上昇させ、下降した際にクレーンに把持された景品が遊技者に払い出される形式の景品取得ゲーム機が人気を博している。
【０００３】
しかし、このタイプの景品取得ゲーム機では、景品がクレーンに把持できる形状、大きさを有している必要があるため、ゲーム機の設置者は景品の種類を自由に選ぶことができず、遊技者の要望に十分応えることができない問題があった。また、このタイプの景品取得ゲーム機では、景品室内の個々の景品を狙ってクレーンの位置を操作できるようになっているため、遊技者に人気のない景品はまったく払い出されないことになり、ゲームの設置者が特定種類の景品を在庫として抱えてしまうことになる問題がある。
【０００４】
このため、景品室に配置された景品トレイに景品を載置し、景品トレイを傾倒させることで落下した景品が遊技者に払い戻される景品取得ゲーム機が提案されている（特許文献１）。
【０００５】
この景品取得ゲーム機は、鉛直方向に伸びる軌道に沿って軌道の左右に配列された景品トレイと、この軌道を移動できるようにされた景品指示マークと、遊技者がパンチすることで景品指示マークを打ち上げるためのパッドと、景品トレイの近くに設置された電子式のセンサーとを備えており、遊技者がパンチすることで打ち上げられた景品指示マークがセンサーの検知範囲に停止した場合には当りの判定を行い、景品トレイに取り付けられたモータが作動して景品トレイを傾倒させて景品トレイ上の景品が払い出されるようになっており、この景品取得ゲーム機では、景品がトレイに載置されているためにトレイに載せることができる程度のものであれば形状、大きさ、荷姿などによらずに景品として使用することが可能である。
【０００６】
また、このタイプの景品取得ゲーム機では、軌道上の同じくらいの高さの左右に景品トレイを配置することが可能であるため、例えば、右側の景品トレイに遊技者に人気の高い景品を載置するとともに左側の景品トレイに設置者が整理したいと考えている景品を載置し、遊技者が右側の景品トレイの景品を狙った場合に左右の景品トレイが同じくらいの割合で払い出されるようにすることも可能であり、その場合には、景品取得ゲーム機の設置者が景品を仕入れる際のリスクを低減できることになる。
【０００７】
しかしながら、特許文献１に記載される景品取得ゲーム機では、当り判定が遊技者から視認できない態様で電子的に行われていたために、遊技者の技量や運だけによって当たり外れが決まるのではなく、当り判定に何らかの意図的な操作が介在しているのではいかなどの不信感を遊技者に与えてしまう問題がある。
【特許文献１】特開平７−２２７４７３号公報
【発明の開示】
【発明が解決しようとする課題】
【０００８】
本発明はこのような問題を解決するものであり、軌道の両側方に配列された景品トレイを傾倒させることで、景品トレイ上の景品を落下させて払い出す景品取得ゲーム装置であって、左右に並んで配置された景品トレイのいずれか一方の景品が払い出される場合に、どちらの景品が払い出されるかが決定される過程に意図的乃至機構的な操作が介在しているかのような疑念を遊技者に与えない景品取得ゲーム装置を提供することをその目的とする。
【０００９】
また本発明は、景品トレイの傾倒や打上部材のバーの目標部材への当接から景品トレイの傾倒に至る過程が機械的な機構により行われるようにすることで、或いは更に、その過程を遊技者が視認できるように構成することで、景品の当たり外れの判定に人為的乃至機構的な操作が存在するかのような疑念を遊技者に与えない景品取得ゲーム装置を提供することをもその目的とする。
【００１０】
また本発明は、打上部材のバーが目標部材に当接する毎に景品トレイが徐々に傾倒していくようにすることで、遊技者の期待感を高めたり、景品取得のゲーム性を高めたりすることができる景品取得ゲーム装置を提供することをもその目的とする。
【課題を解決するための手段】
【００１１】
本発明は上記問題点を解決したものであり、
所定方向に向けて延長する軌道と、
前記軌道の両側方に配列された景品トレイと、
前記景品トレイのそれぞれに対応する目標部材であって、前記軌道に沿って前記軌道の両側方に配列された目標部材と、
前記軌道上に打ち上げられる打上部材であって、前記軌道の右側方に向けて伸長動作を行う第１のバー及び前記軌道の左側方に向けて伸長動作を行う第２のバーを有する打上部材と、
前記打上部材を打ち上げるための操作手段とを備え、
前記軌道上に停止した前記打上部材の前記第１、第２のバーが伸長動作を行うことで前記目標部材に当接した場合に、当該目標部材に対応する前記景品トレイが傾倒して当該景品トレイ上の景品が払い出される景品取得ゲーム機であって、
前記第１、第２のバーのいずれかが前記目標部材に当接する場合には、他方のバーが前記目標部材に当接することがないように、打上部材における前記第１、第２のバー及び前記目標部材の配置が定められていることを特徴とする景品取得ゲーム機である。
【００１２】
また上記発明において、前記第１、第２のバーを前記軌道に沿う方向に所定長を離間させて前記打上部材に取り付け、前記目標部材を前記軌道に沿って前記所定の距離と異なる間隔で等間隔に配列することが好ましい。
【００１３】
また上記発明において、前記目標部材を対応する前記景品トレイの側方に設けることが好ましい。
【００１４】
また上記発明において、前記それぞれの景品トレイに対応して、前記景品トレイを支持する支持位置と、この支持を解除する解除位置との間で移動可能とされた支持板を有する支持装置を設け、前記第１、第２のバーが前記目標部材に当接したときに、当該目標部材に対応する前記景品トレイの支持板が解除位置に移動して当該景品トレイを傾倒させるようにすることが好ましい。
【００１５】
また上記発明において、前記第１、第２のバーが前記目標部材に当接したときに、当該第１、第２のバーの伸長動作により前記目標部材が後退動作を行い、この後退動作が伝達機構により機械的に伝達されて前記支持板が前記支持位置から前記解除位置に移動するようにすることが好ましい。
【００１６】
また上記発明において、前記支持装置が、上下方向に配列された複数の前記支持板と、それぞれの支持板の中間の高さに配列された中間支持板であって、前記支持板が支持位置に移動したときに解除位置に移動し、前記支持板が解除位置に移動したときに支持位置に移動する複数の中間支持板とを備えるものとし、前記第１、第２のバーが前記目標部材に当接したときに、当該目標部材に対応する前記景品トレイを支持する支持板が解除位置に移動することで、当該支持板より下方の中間支持板に当該景品トレイが支持され、前記第１、第２のバーが前記目標部材への当接を解除したときに、当該中間支持板が解除位置に移動することで、当該中間支持板よりも下方の支持板に当該景品トレイが支持されるようすることが好ましい。
【００１７】
また上記発明において、それぞれの前記景品トレイに対応して第１の目標部材及び第２の目標部材を含む複数種類の目標部材が設けられているとともに、前記支持装置を、全ての前記支持板及び全ての前記中間支持板による景品トレイの支持を解除することを可能に構成し、前記第１、第２のバーが前記第１の目標部材に当接したときには、当該目標部材に対応する前記景品トレイを支持する支持板が解除位置に移動することで、当該支持板より下方の中間支持板に当該景品トレイが支持され、前記第１、第２のバーが前記第１の目標部材への当接を解除したときに、当該中間支持板が解除位置に移動することで、当該中間支持板よりも下方の支持板に当該景品トレイが支持されるようにされており、前記第１、第２のバーが前記第２の目標部材に当接したときには、前記支持装置が全ての前記支持板及び全ての前記中間支持板による支持を解除するようにすることが好ましい。
【発明の効果】
【００１８】
本発明は、景品トレイに載置した景品を、景品トレイを傾倒させることで落下させて払い出す構成を採用しているために、景品トレイに載置できる程度のものであれば、形状、大きさ、荷姿などに関係なく景品として使用することができる利点を有している。
【００１９】
また本発明では、一つの打上部材に設けられた第１、第２のバーのいずれか一方のみが目標部材に当接し得るようになっているため、軌道の一側方に配置される景品トレイの目標部材に第１のバーが当接できる打上部材の停止位置と、軌道の他側方に配置される景品トレイの目標部材に第２のバーが当接できる打上部材の停止位置をある程度近くになるようにしておけば、いずれか一方の景品トレイに遊技者に人気のある景品を載置しておくことで遊技者のプレイ意欲をかき立てることができ、更に、他側方の景品トレイの景品も一方側の景品と同じくらいの割合で払い出されることになるために景品取得ゲーム機の設置者が景品を仕入れる際のリスクを低減させることができる。
【００２０】
更に本発明では、第１、第２のバーが目標部材に当接した場合に、その目標部材に対応する景品トレイが傾倒して景品が払い出されるために、当り判定に人為的乃至機構的な操作が行われているかのような疑念を遊技者に与えてまう問題が解消される。
【００２１】
また、第１、第２のバーのいずれかが目標部材に当接する場合には、他方のバーが目標部材に当接することがないようにするための具体的な態様としては、第１、第２のバーが軌道上の同じ高さにおいて伸長動作をするようにする一方で、目標部材を軌道の一側方と他側方で軌道上の異なる高さに配置することが可能であるが、請求項２の発明によれば、目標部材を等間隔に配列した場合でも常にこの目的が達成されるため、装置の設計を簡略にできる。
【００２２】
また請求項３の発明によれば希望の景品を獲得するためにはどの目標部材を狙えばよいかを理解し易くできる。
【００２３】
また請求項４の発明によれば、景品トレイの傾倒を機械的に行うことが可能となり、請求項５の発明によれば、第１、第２のバーの目標部材への当接から景品トレイの傾倒までの過程を機械的に行うことが可能となり、請求項６の発明によれば、当り判定に機構的な介入が存在しないことを遊技者に明確に示すことができる。
【００２４】
また、請求項７の発明によれば、第１、第２のバーが目標部材に当接する毎に段階的に景品トレイが傾倒していくようにすることができ、これにより景品取得ゲームの面白味が高くなり、また、途中まで傾倒している景品トレイはそれだけ容易に景品を取得することができるので、遊技者のプレイ意欲を高めることができる。
【００２５】
また、請求項８の発明によれば、第１、第２のバーが当接する目標部材によって、景品トレイが傾倒して景品が払い出されるまでに何回かの当接を繰り返さなければならない場合と、１回の当接で景品トレイが傾倒して景品が払い出される場合の２種類の態様で景品が払い出されるようになるため、景品取得ゲームの面白味を一層高めることができる。
【発明を実施するための最良の形態】
【００２６】
図１は本発明の実施形態に係る景品取得ゲーム機１を示す説明図である。
【００２７】
図示されるように、景品取得ゲーム機１は、主として筐体２と、景品トレイを収容する景品室３から構成されている。景品室３の正面から側面にかけては透明のパネルが張られており、内部に配置された景品トレイ１０或いはこれに載置される景品（図示せず）を外から視認できるようになっている。
【００２８】
筐体２の正面中央には、下方から上方に直線状に伸びる軌道２０と、この軌道２０上を移動可能とされた打上部材３０が配置されている。
【００２９】
景品室３内には、上下３段の景品トレイ１０ａ〜１０ｃ及び１０ｄ〜１０ｆが軌道２０に対して線対称になるように配列されており、また、それぞれの景品トレイ１０ａ〜１０ｆに対応する目標部材部４０ａ〜４０ｃ、４０ｄ〜４０ｆが各景品トレイ１０ａ〜１０ｆと軌道２０の間の位置において軌道２０に線対称になるように配置されている。このように、目標部材部４０ａ〜４０ｆをそれぞれ対応する景品トレイ１０ａ〜１０ｆの側方に（従って、景品トレイ１０ａ〜１０ｆと同じ程度の高さに）設置することで、景品トレイ１０ａ〜１０ｆと目標部材部４０ａ〜４０ｆの対応が一目で分かるようされている。また景品トレイ１０ａ〜１０ｆは、上方の景品トレイほど筐体２の前方に配置されており（図２参照）、上方の景品トレイから落下した景品が下方の景品トレイに干渉しないようにされている。
【００３０】
また、筐体２の正面下方には、打上部材３０を打ち上げるための操作部材であるパンチパッド１３、ゲーム料金を投入するためのコイン投入口１４、景品室３の下方に設けられた開口（不図示）に連通する景品取出口１５が設けられている。
【００３１】
図２は、上記パンチパッド１３による軌道２０上での打上部材３０の移動機構を示す景品取得ゲーム機１の断面説明図である。
【００３２】
図示されるように、パンチパッド１３の下部にはてこ部材２１の力点部２１ａが接触するようになっており、パンチパッド１３にパンチを加えると、その力がてこ部材２１の作用点部２１ｂにおいて、スタンバイ位置にある打上部材３０に伝達されるようになっている。なお、いたずらなどを防止するために、コイン投入口１４に利用料金が投入されるまでは、てこ部材２１の力点部２１ａが電磁クラッチ２１ｃによりパンチパッド１３から離間するようにされている。
【００３３】
また、軌道２０の背面には、一面にのみ多数の歯が刻設されたラック部材２２が軌道２０に沿うように設置されており、その上方には、景品取得ゲームの実行中はラック部材２２の歯が刻設された面を前面側に向け、景品取得ゲームの終了後にラック部材２２を回転させて、歯が刻設された面を背面側に向けるようにするためのモータ２２ａが取り付けられている。
【００３４】
一方、打上部材３０の背面側には金属などの弾性部材よりなる係合板３０ａが下方に方向付けられて取り付けられ、前面側に向けられたラック部材２２の歯に係合するようになっている。この係合板３０ａは、打上部材３０の本体に近付く方向には容易に屈曲できる程度の柔軟性のある素材で形成されているために、打上部材３０の上方への移動に対しては大きな抵抗を発生させない一方で、打上部材３０が下方に移動しようとすると係合板３０ａがラック部材２２の歯に係合して打上部材３０を停止させるようになっている。従って、パンチパッド１３にパンチが加えられると、打上部材３０は軌道２０上をそのパンチ力に応じた高さまで移動していき、最高点（移動方向が下方に変わったところ）で係合板３０ａがラック部材２２の歯に係合して打上部材３０が停止することになり、景品取得ゲーム終了後にはラック部材２２が回転することで係合板３０ａの係合が解除され、打上部材３０はスタンバイ位置まで落下する。
【００３５】
なお、軌道２０には、打上部材３０の通過を検知するためのセンサ２０ａが取り付けられている。
【００３６】
図３は、打上部材３０の内部構造を示す説明図である。
【００３７】
打上部材３０は、軌道２０の延長方向（図中の矢印Ｘ方向）に所定長離間して配置された２本のバー３１、両バー３１の側部及び打上部材３０の中央付近に設置された５個のプーリー３２ａ〜３２ｅ、モータ３３により駆動されるタイミングプーリー３３ａ、及び、プーリー３２ａ〜３２ｅ、３３ａに張り渡され、外周においてバー３１に摺接するようにされたタイミングベルト３４を備えており、モータ３３によりタイミングベルト３４を時計回りに回転させることで、上方のバー３１を右方に、下方のバー３１を左方に伸長させ、タイミングベルト３４を反時計回りに回転させることで、上方のバー３１を左方に、下方のバー３１を右方に向けて収容できるようになっている。また、バー３１の一端には、後述の目標部材に当接して押圧するための押圧部材３１ａが取り付けられている。
【００３８】
図４は、目標部材部４０ａ〜４０ｆの詳細を示す説明図である。なお、目標部材部４０ａ〜４０ｆはすべて同一の構成を有しているため、ここでは符号４０により目標部材部を示している。
【００３９】
目標部材部４０には、軌道２０側に向けて突出して配置された円筒状の目標部材４１ａ〜４１ｅが上方から下方に（図中の矢印Ｘの方向）に所定の間隔をもって等間隔に配列されている。また、この間隔は、上記打上部材３０の上方のバー３１と下方のバー３１の離間長とは異なる距離（例えば、上下のバーの離間長が目標部材の間隔の１．５倍）とされており、一方のバー３１が軌道２０の一側方に配置された目標部材部４０ａ〜ｃのいずれかの目標部材４１ａ〜４１ｅに当接する場合には、他方のバー３１が軌道２０の他側方に配置された目標部材部４０ｄ〜ｆの目標部材４１ａ〜４１ｅに当接することがないようにされている。
【００４０】
これらの目標部材４１ａ〜４１ｅは、軸方向に移動可能に目標部材部４０の側面に取り付けられており、軌道２０側から押圧力が加えられた場合には図右方に向けて後退動作を行うようになっている。また、最も上方に配置されている目標部材４１ａは、他の目標部材４１ｂ〜４１ｅの概略２倍程度の軸方向長を有しており、軌道２０側から押圧力が加えられた場合には、他の目標部材４１ｂ〜４１ｅの２倍程度のストロークをもって上記後退動作を行うようになっている。
【００４１】
目標部材部４０の内部には、上下方向にスライド可能なスライド板４２と５枚のクランク部材４３ａ〜４３ｅが収容されている。このクランク部材４３ａ〜４３ｅは、中央部の軸ピン４４ａ〜４４ｅにおいて目標部材部４０の筐体に回動自在に取り付けられるとともに、その両端４５ａ〜４５ｅ、４６ａ〜４６ｅがそれぞれ目標部材４１ａ〜４１ｅ及びスライド板４２に回動自在に取り付けられており、目標部材４１ａ〜４１ｅのいずれかが軌道２０側からの押圧力により後退動作を行うと、スライド板４２が上方にスライドし、スライド板４２に取り付けられたワイヤー４７が後述の駆動板５４を牽引するようになっており、この押圧力が取り除かれるとスライド板４２がその自重によって下方にスライドし、目標部材４１ａ〜４１ｅが前進動作を行って初期状態に戻るようになっている。なお、目標部材４１ａが後退動作を行った場合には、そのストロークが他の目標部材４１ｂ〜４１ｅの略２倍とされているために、スライド板４２は他の目標部材４１ｂ〜４１ｅが後退動作を行ったときよりも大きく上方にスライドし、その分駆動板５４も大きく牽引されるようになっている。
【００４２】
また、目標部材部４０の前面には透明パネル４８が填め込まれており、この透明パネル４８及び景品室３の透明パネルを通して、筐体２の正面から目標部材部４０の内部機構及びその動作が目視できるようになっている。
【００４３】
図５は、各景品トレイ１０ａ〜１０ｆ及びその近くに取り付けられた支持装置５０の詳細を示す説明図である。なお、景品トレイ１０ａ〜１０ｆ及び支持装置５０は全て同一の構成を有しており、ここでは景品トレイは符号１０により示されている。
【００４４】
景品トレイ１０は、その後部が筐体２の後方部位に水平方向に張り渡された支軸１１に回動自在に取り付けられるとともに、その前部一側に上記支持板５２ａ〜５２ｄ又は中間支持板５３ａ〜５３ｃによる支持を受けるためのピン１２が突設さられている。
【００４５】
支持装置５０は、軸方向を上下方向（軌道２０の延長方向）に向けて筐体２に取り付けられた軸芯５１と、この軸芯５１に多段に取り付けられた４枚の支持板５２ａ〜５２ｄと、各支持板５２ａ〜５２ｄの中間の高さに取り付けられた中間支持板５３ａ〜５３ｃと、目標部材部４０から導かれるワイヤー４７により牽引されて支持装置５０を反時計回りに回転させる駆動板５４と、当該駆動板５４をワイヤー４７による牽引方向と反対方向に付勢するバネ手段５５とを備えており、ワイヤー４７による牽引力が作用しない場合には、支持装置５０は駆動板５４が図示されないストッパーに当接する定常位置に保たれ、目標部材４１ｂ〜４１ｅの後退動作によりワイヤー４７が牽引された場合には、目標部材４１ｂ〜４１ｅのストロークに応じた第１の回転角まで回転し、また、目標部材４１ａの後退動作によりワイヤー４７が牽引された場合には、第１の回転角よりも更に回転角が大きい第２の回転角まで回転するようになっている。
【００４６】
また、上記支持板５２ａ〜５２ｄは、支持装置５０が定常位置に保たれている状態で、支軸１１を中心に景品トレイ１０が傾倒する際のピン１２の軌跡上に位置するように軸芯５１に対してそれぞれ所定の角度をつけて固定されており、上記中間支持板５３ａ〜５３ｃは、支持装置５０が第１の回転角にあるときに、支軸１１を中心に景品トレイ１０が傾倒する際のピン１２の軌跡上に位置するように軸芯５１に対してそれぞれ所定の角度をつけて固定されており、また、支持装置５０が第２の回転角にあるときには、上記支持板５２ａ〜５２ｄ、中間支持板５３ａ〜５３ｃは、ともに、支軸１１を中心に景品トレイ１０が傾倒する際のピン１２の軌跡から外れた位置に移動するようになっている。
【００４７】
いま、景品トレイ１０のピンが最上段の支持板５２ａに支持されている（図６（ａ）参照）として、目標部材４１ｂ〜４１ｅのいずれかが軌道２０の方向から押圧されて後退動作を行うと、この後退動作がクランク部材４３ｂ〜４３ｅ、スライド板４２、ワイヤー４７と伝達されて支持装置５０を第１の回転角まで回転させる。これによって支持位置にあった支持板５２ａはピン１２を支持できない位置（解除位置）に移動するためピン１２は支持板５２ａの支持を失って落下することになるが、このとき、最上段の中間支持板５３ａがピン１２を支持できる位置（支持位置）に移動するため、ピン１２はこの最上段の中間支持板５３ａに支持されることになって景品トレイ１０の支軸１１を中心とする傾斜角は当初よりもわずかに大きくなる（図６（ｂ）参照）。
【００４８】
その後、目標部材４１ｂ〜４１ｅへの押圧が無くなると、スライド板４２は自重により初期位置に復帰してワイヤー４７の牽引力が無くなり、軸芯５１はバネ手段５５の付勢力により定常位置に復帰する。これによって支持にあった最上段の中間支持板５３ａは解除位置に移動するため、ピン１２は中間支持板５３ａの支持を失って落下するが、このとき、上から２番目の支持板５２ｂが支持位置に移動するため、ピン１２はこの２番目の支持板５２ｂに支持されることになり、景品トレイ１０の支軸１１を中心とする傾斜角は、ピン１２が支持板５２ａに支持されていた当初の状態よりも一段分大きくなる。
【００４９】
以降、目標部材４１ｂ〜４１ｅへの押圧とその解除による後退運動、前進運動が繰り返される毎に、ピン１２は、１段づつ下方の支持板５２ｃ、ｄに支持されるようになり、その度に景品トレイ１０の支軸１１を中心とする傾斜角は大きくなっていき、最下段の支持板５２ｄにピン１２が支持されている状態で、目標部材４１ｂ〜４１ｅが後退運動を行った時点でピン１２を支持する支持板が無くなって景品トレイ１０は完全に傾倒する。これによって景品トレイ１０に載置されている景品は景品トレイ１０から景品室下部の開口に落下し、景品取出口１５から払い出される。
【００５０】
一方、目標部材４１ａが軌道２０の方向から押圧されて後退運動を行った場合には、支持装置５０は第２の回転角まで回転し、支持板５２ａ〜５２ｄが解除位置に移動するとともに、中間支持板５３ａ〜５３ｃも支持位置を通過してピン１２を支持できない回転角にまで移動してしまう。従って、この場合には、景品トレイ１０のピン１２がどの支持板５２ａ〜５２ｄに支持されている状態であったとしても、ピン１２を支持する支持板が無くなり、景品トレイ１０は完全に傾倒する（図６（ｃ））。これによって景品トレイ１０に載置されている景品（図示せず）は景品トレイ１０から景品室下部の開口に落下し、景品取出口１５から払い出される。
【００５１】
このように構成された景品取得ゲーム機１は以下のように動作する。
【００５２】
コイン投入口１４から所定料金が投入されると電磁クラッチ２１ｃが動作しててこ部材２１の力点部２１ａがパンチパッド１３に当接する。
【００５３】
この状態で遊技者がパンチパッド１３にパンチを加えると、その衝撃がてこ部材２１の作用点部２１ｂにおいて打上部材３０に伝達され、打上部材３０は軌道２０を上方に向けて移動し、最高点において係合板３０ａがラック部材２２の歯に係合して停止する。
【００５４】
打上部材３０の通過を軌道２０に設けられたセンサ２０ａが検知してから一定時間（例えば数秒）が経過するとモータ３３が作動し、軌道上２０に停止した打上部材３０の上下のバー３１、３１がそれぞれ軌道２０の右側方及び左側方に向けて伸長動作を行い、伸長動作の完了後、バー３１、３１は収容動作を行う。
【００５５】
打上部材３０の上下のバー３１、３１のいずれか一方が軌道２０の左右に配列された目標部材部４０ａ〜４０ｆの目標部材４１ａに当接した場合には、バー３１の伸長動作によって目標部材４１ａが後退動作を行い、この後退動作がクランク部材４３ａ、スライド板４２、ワイヤー４７により支持装置５０に伝達され、支持装置５０は第２の回転角まで回転し、景品トレイ１０がいずれの支持板５２ａ〜５２ｄに支持されているかに拘わらず景品トレイ１０は完全に傾倒し、これに載置されていた景品が景品室下方の開口に落下して、景品取出口１５より払い出される。
【００５６】
打上部材３０の上下のバー３１、３１のいずれか一方が軌道２０の左右に配列された目標部材部４０ａ〜４０ｆのいずれかの目標部材４１ｂ〜４１ｅに当接した場合には、当接したバー３１の伸長動作及び収容動作によって支持装置５０は第１の回転角まで回転した後に定常位置に復帰することになる。従って、景品トレイ１０のピン１２が支持板５２ａ〜５２ｃのいずれかに支持されていた場合には、その一段下の支持板５２ｂ〜５２ｄにピン１２が支持されることになって景品トレイ１０の傾斜角が大きくなり、景品トレイ１０のピン１２が支持板５２ｄに支持されていた場合には、ピン１２を支持する支持板が無くなるために景品トレイ１０は完全に傾倒し、これに載置されていた景品が景品室下方の開口に落下して、景品取出口１５より払い出される。
【００５７】
打上部材３０の上下のバー３１、３１がいずれの目標部材４１ａ〜４１ｅにも当接しなかった場合にはいずれの景品トレイ１０もその傾斜角度を変化させない。
【００５８】
なお、目標部材４１ａ〜４１ｅが配列される間隔が打上部材３０の上方のバー３１と下方のバー３１の離間長とは異なっているために、上下のバー３１、３１の双方が軌道２０の両側方のいずれかの目標部材４１ａ〜４１ｅに当接することはない。
【００５９】
バー３１、３１が収容動作を完了すると、モータ２２ａが動作してラック部材２２を回転させてラック部材２２の歯が刻設された面が背面側に移動し、係合板３０ａの係合が解除されて打上部材３０は自由落下しスタンバイ位置に復帰する。このときの打上部材の通過を軌道２０に設けられたセンサ２０ａが検知し、電磁クラッチ２０ｃが作動しててこ部材２１の力点部２１ａをパンチパッド１３から離間させてゲームが終了する。
【００６０】
以上好ましい実施形態に基づいて本発明の景品ゲーム機を説明したが、本発明の範囲はこの実施形態ではなく特許請求の範囲の記載に基づいて定められる。実施形態中の景品取得ゲーム機の全体又は各部分の形状、構造、動作機構などにつての特許請求の範囲に限定のない記述は単なる例として記載されたものであり、本発明はこれらの記述により限定されるものではない。
【図面の簡単な説明】
【００６１】
【図１】景品取得ゲーム機を示す説明図。
【図２】景品取得ゲーム機の断面説明図。
【図３】打上部材の内部構造を示す説明図。
【図４】目標部材部の詳細を示す説明図。
【図５】景品トレイ及びその近くに取り付けられた支持装置の詳細を示す説明図。
【図６】景品トレイ及び支持装置の動作を示す説明図。
【符号の説明】
【００６２】
１・・・景品取得ゲーム機、２・・・筐体、３・・・景品室、１０・・・景品トレイ、１１・・・支軸、１２・・・ピン、１３・・・パンチパッド、１４・・・コイン投入口、１５・・・景品取出口、２０・・・軌道、２０ａ・・・センサ、２１・・・てこ部材、２１ａ・・・力点部、２１ｂ・・・作用点部、２２・・・ラック部材、２２ａ・・・モータ、３０・・・打上部材、３０ａ・・・係合板、３１・・・バー、３１ａ・・・押圧部材、３２ａ〜３２ｅ・・・プーリー、３３・・・モータ、３３ａ・・・タイミングプーリー、３４・・・タイミングベルト、４０・・・目標部材部、４１ａ〜４１ｅ・・・目標部材、４２・・・スライド板、４３ａ〜４３ｅ・・・クランク部材、４４ａ〜４４ｅ・・・軸ピン、４７・・・ワイヤー、４８・・・透明パネル、５０・・・支持装置、５１・・・軸芯、５２ａ〜５２ｄ・・・支持板、５３ａ〜５３ｃ・・・中間支持板、５４・・・駆動板、５５・・・バネ手段
【図１】
2006223600.tif 000003
【図２】
2006223600.tif 000004
【図３】
2006223600.tif 000005
【図４】
2006223600.tif 000006
【図５】
2006223600.tif 000007
【図６】
2006223600.tif 000008